(57)【要約】【課題】  悪戯による汚れや破損を防止することができるとともに、腰板前側の意匠変更を容易に行うことができる遊技機を提供すること。【解決手段】  パチンコ機１０は、外枠下部を構成する腰板ユニット１１Ｂと、前側にコーン紙５５を有するスピーカ５１とを備える。スピーカ５１は腰板ユニット１１Ｂの背面側に設置される。その際、腰板ユニット１１Ｂに形成された開口部５２にコーン紙５５を臨ませるようにする。このパチンコ機１０は、さらに振動体カバー５３と腰板カバー８１とを備える。振動体カバー５３は、腰板ユニット１１Ｂの開口部５２に設けられ、複数の振動体カバー側透孔部５４を有する。腰板カバー８１は、腰板ユニット１１Ｂの前面全域を覆うべく、腰板ユニット１１Ｂの前面側に対して規制部材により着脱可能に取り付けられる。また、腰板カバー８１は、振動体カバー５３に対応する位置に複数の腰板カバー側透孔部８７を有する。【選択図】  図８
2005074121.tif 000002
【特許請求の範囲】
【請求項１】
外枠下部を構成する腰板と、前側に音声発生部を有するスピーカとを備え、前記腰板に形成された開口部に前記音声発生部を臨ませるようにして、前記スピーカを前記腰板の背面側に設置した遊技機において、
前記腰板の前記開口部に設けられ、複数の第１スピーカ用透孔部を有する第１カバー部材と、
前記腰板の前面全域を覆うべく、前記腰板の前面側に対して前記腰板の背面側に配設された係合手段により着脱可能に取り付けられ、前記第１カバー部材に対応する位置に複数の第２スピーカ用透孔部を有する第２カバー部材と
を備える遊技機。
【請求項２】
前記第１カバー部材は、略中央部が前記スピーカ側に凹んだ形状であることを特徴とする請求項１に記載の遊技機。
【請求項３】
前記第１スピーカ用透孔部の形状及び前記第２スピーカ用透孔部の形状は互いに異なることを特徴とする請求項１または２に記載の遊技機。
【請求項４】
前記第２カバー部材の裏面には、前記腰板前面に対して当接可能な突条が設けられていることを特徴とする請求項１乃至３のいずれか１項に記載の遊技機。
【請求項５】
前記第２スピーカ用透孔部は、前記第２カバー部材の裏面側から前面側に向かって斜め上向きに形成されていることを特徴とする請求項１乃至４のいずれか１項に記載の遊技機。
【請求項６】
前記第２スピーカ用透孔部は、前記第２カバー部材の裏面側から前面側に向かって斜め下向きに形成されていることを特徴とする請求項１乃至４のいずれか１項に記載の遊技機。
【発明の詳細な説明】
【技術分野】
【０００１】
本発明は遊技機に係り、特にはスピーカを腰板の背面側に設置した遊技機に関するものである。
【背景技術】
【０００２】
一般に、パチンコ機等の遊技機の内部には、各種遊技状態において様々な効果音（入賞音等）を発して音声演出を行うためのスピーカが配設されている。従来では、中枠前面側の下部をスピーカ設置部とすることが多かったが、設置スペースに制約があるため比較的小型のスピーカが使用されてきた。その一方、最近では遊技機における趣向の向上を図るために高音質化が望まれている。しかし、年々改良が加えられているとは言え、小型スピーカでは迫力のある低音を得ることができず、遊技者を十分満足させることができなかった。
【０００３】
そこで近年では、音質がよくて迫力のある音声演出を実現するために、外枠下部にある腰板（幕板）の背面側にスピーカ等の音声発生手段を設置したパチンコ機が提案されている（例えば、特開平２００３−７９８３４号公報参照）。即ち、腰板の背面側はスペース上の制約を受けにくく、比較的大型のスピーカの設置が可能だからである。
【０００４】
【特許文献１】特開２００３−７９８３４号公報（図６等参照）
【発明の開示】
【発明が解決しようとする課題】
【０００５】
しかしながら、腰板の背面側にスピーカを配設した構造の場合、スピーカ自体や、スピーカの透孔部を含む腰板前側が、悪戯によって汚れたり破損したりすることが考えられる。そして、スピーカ自体が破損した場合には、音質が低下したり、音が全く出なくなる等の不具合の原因となる。このため、遊技機をいったん遊技島から取り外してスピーカを交換する等の面倒な作業が要求される。腰板前側が破損した場合には、音質の低下等は伴わないものの、やはり遊技機をいったん遊技島から取り外して外枠全体を交換する面倒な作業が要求される。
【０００６】
また、遊技店によっては、腰板前側の意匠変更を容易に行いたいという要請も少なからずある。
【０００７】
本発明は上記の課題に鑑みてなされたものであり、その目的は、悪戯による汚れや破損を防止することができるとともに、腰板前側の意匠変更を容易に行うことができる遊技機を提供することにある。
【課題を解決するための手段】
【０００８】
上記課題を解決するために、請求項１に記載の発明では、外枠下部を構成する腰板と、前側に音声発生部を有するスピーカとを備え、前記腰板に形成された開口部に前記音声発生部を臨ませるようにして、前記スピーカを前記腰板の背面側に設置した遊技機において、前記腰板の前記開口部に設けられ、複数の第１スピーカ用透孔部を有する第１カバー部材と、前記腰板の前面全域を覆うべく、前記腰板の前面側に対して前記腰板の背面側に配設された係合手段により着脱可能に取り付けられ、前記第１カバー部材に対応する位置に複数の第２スピーカ用透孔部を有する第２カバー部材とを備える遊技機をその要旨とする。
【０００９】
従って、請求項１に記載の発明によると、第２カバー部材によって腰板前側が覆われて保護される結果、腰板前側が悪戯されにくくなり、汚れや破損を防止することができる。また、スピーカについては第１カバー部材及び第２カバー部材によって二重に覆われて保護されるので、悪戯によるスピーカの汚れや破損を確実に防止することができる。さらに、第２カバー部材は腰板前側に対して着脱可能であるため、必要に応じて第２カバー部材を取り替えることにより、比較的容易に意匠変更を行うことができる。また、腰板の前面全域が覆われるので、スピーカのみならず腰板の前面が全体的に保護される。さらに、第２カバー部材を着脱可能とする係合手段が腰板の背面側に配設されていることから、腰板の前面側から不正に腰板が着脱される心配もない。
【００１０】
請求項２に記載の発明は、請求項１において、前記第１カバー部材は、略中央部が前記スピーカ側に凹んだ形状であることをその要旨とする。
【００１１】
従って、請求項２に記載の発明によると、スピーカ側に凹んだ第１カバー部材の略中央部と、第２カバー部材との距離が大きくなる。よって、針金などの不正な異物が第２スピーカ用透孔部を介して第２カバー部材内に差し込まれたとしても、異物の先端が第１カバー部材まで到達しにくくなる。その結果、第１カバー部材及びスピーカの汚れや破損を防止することができる。また、このような形状であると、第１カバー部材において第１スピーカ用透孔部を形成可能な面積が増えるので、例えば大きめの第１スピーカ用透孔部をそれほど困難なく形成することができる。その結果、スピーカが発生した音を確実に第１カバー部材の前面側に到らせることができる。よって、音がこもりにくくなる結果、音質の低下を防止することができ、スピーカがその性能を十分に発揮しやすい状態になる。
【００１２】
ここで、第２カバー部材については、逆に反スピーカ側（即ち遊技者側）に膨出した形状になっていることがよく、このように構成することで第１カバー部材と第２カバー部材との距離をいっそう大きくすることができる。
【００１３】
前記第１スピーカ用透孔部の形状及び前記第２スピーカ用透孔部の形状は、特に限定されず任意に設定可能であるが、同一であるよりもむしろ互いに異なるほうが好ましい（請求項３）。
【００１４】
従って、請求項３に記載の発明によると、不正な異物が第２スピーカ用透孔部を介して第２カバー部材内に差し込まれたとしても、第２スピーカ用透孔部と形状が異なる第１スピーカ用透孔部を設定しておけば、異物の先端が第１スピーカ用透孔部を介して第１カバー部材の内部まで到達しにくくなる。その結果、スピーカの汚れや破損を確実に防止することができる。
【００１５】
また、第１スピーカ用透孔部及び第２スピーカ用透孔部の開口面積の大小関係は特に限定されず任意に設定することができるが、例えば、前記第２スピーカ用透孔部の開口面積は、前記第１スピーカ用透孔部の開口面積よりも小さいことがよい。この構成であると、そもそも開口面積の小さな第２スピーカ用透孔部に対しては不正な異物を差し込みにくいので、悪戯を第２カバー部材の箇所で抑制することができる。また、スピーカが発生した音を確実に第１カバー部材の前面側に到らせることができるため音がこもりにくくなる結果、音質の低下を防止することができ、スピーカがその性能を十分に発揮しやすい状態になる。
【００１６】
前記第１カバー部材と前記第２カバー部材とは所定間隔を隔てて配置されていることが好ましい。
【００１７】
この構成であると、不正な異物が第２スピーカ用透孔部を介して第２カバー部材内に差し込まれたとしても、異物の先端が第１カバー部材まで到達しにくくなる。その結果、第１カバー部材及びスピーカの汚れや破損を防止することができる。
【００１８】
請求項４に記載の発明は、請求項１乃至３のいずれか１項において、前記第２カバー部材の裏面には、前記腰板前面に対して当接可能な突条が設けられていることをその要旨とする。
【００１９】
従って、請求項４に記載の発明によると、突条によって第２カバー部材が全体的に補強される結果、第２カバー部材に変形が起こりにくくなる。また、突条が腰板前面に対して当接することにより、第２カバー部材を安定的に固定することができる。従って、スピーカに大きな音を発生させた場合であっても、振動によって第２カバー部材がガタついて騒音を生じるといった心配もない。
【００２０】
ここで、前記第２スピーカ用透孔部は、第２カバー部材の前面及び裏面を貫通していれば足りるが、例えば、前記第２カバー部材の裏面側から前面側に向かって斜め上向きに形成されることがよい（請求項５）。そして、このような構成であると、第２スピーカ用透孔部の前端開口が遊技者の方向に向くため、スピーカの発する音声が遊技者の耳に届きやすくなる。また、前記第２スピーカ用透孔部は、例えば、前記第２カバー部材の裏面側から前面側に向かって斜め下向きに形成されていてもよい（請求項６）。第２スピーカ用透孔部が下向きであると、不正な異物の差し込みが困難になることから、遊技者による悪戯をいっそう確実に防止することができる。
【００２１】
また、前記第２カバー部材の略中央部には、複数の非貫通孔を有するバスレフ形成可能部が設けられていてもよい。
【００２２】
この構成であると、バスレフ形成可能部における複数の非貫通孔に対し、必要に応じて穴明け加工をすることにより、所望箇所に簡単に貫通孔を形成することができる。よって、このようにして形成された貫通孔をバスレフ形スピーカ（位相反転形スピーカ）におけるバスレフダクトの音放出口として利用することが可能となる。
【発明の効果】
【００２３】
以上詳述したように、請求項１〜６に記載の発明によれば、悪戯による汚れや破損を防止することができるとともに、腰板前側の意匠変更を容易に行うことができる遊技機を提供することができる。
【発明を実施するための最良の形態】
【００２４】
以下、本発明の遊技機を具体化したパチンコ機１０の一実施形態を図１〜図８に基づき説明する。
【００２５】
まず、図１等に基づいてパチンコ機１０の機表側の構成について述べる。図１、図３等に示されるように、このパチンコ機１０は機体の外郭をなす縦長方形状の外枠１１を備えている。この外枠１１は、外枠１１における上辺、右辺及び左辺を構成する外枠本体１１Ａと、外枠１１における下辺を構成する合成樹脂製の腰板ユニット１１Ｂ（腰板）とによって構成されている。外枠１１の開口前面側には、各種の遊技用構成部材をセットするための縦長方形状の中枠１２が、開閉及び着脱自在に組み付けられている。また、中枠１２の前面側には、機内部に配置された遊技盤１３を透視保護するためのガラス枠を備えた前枠１４と、上球皿１５とが、ともに横開き状態で開閉可能に組み付けられている。中枠１２の前面側において上球皿１５の下方には、下球皿１６及び発射装置１７などが装着されている。また、遊技盤１３のほぼ中央部には図柄表示装置１８が配置されている。
【００２６】
次に、パチンコ機１０の機裏側の構成について述べる。図２に示されるように、中枠１２の裏面側には、裏部品を組み付けるための機構セット盤２３が配設されている。この機構セット盤２３の裏面側における上部左側の箇所には、遊技球を貯溜するための球タンク２４が設けられている。この球タンク２４の下方には、そこから流れ出る遊技球を整列状態で流下させるためのタンクレール２５が設けられている。斜め右下方向に延びる前記タンクレール２５の下端（右端）には、球供給路２６が設けられている。この球供給路２６の下端部には、球払出装置２７が接続されている。また、球タンク２４の右側のスペースには、図示しないホールコンピュータとパチンコ機１０とを接続するための枠用外部端子板２８が配設されている。枠用外部端子板２８は、賞球情報、球貸し情報及び球切れ情報をホールコンピュータに対して送信するようになっている。
【００２７】
また、図２に示されるように、本実施形態のパチンコ機１０は、機構セット盤２３の裏面側に、各種の制御基板（主制御基板３１Ａ、音声制御基板３１Ｂ、ランプ制御基板３１Ｃ、図柄制御基板３１Ｄ、払出制御基板３１Ｅ、発射制御基板３１Ｆなど）を収容した基板ケース３１を複数備えている。例えば、機構セット盤２３の中央部上寄りの位置（具体的には遊技盤１３に取り付けられた図柄表示装置１８のほぼ裏側の位置）には、図柄制御基板３１Ｄを内部に収容する基板ケース３１が配置されている。また、図柄制御基板３１Ｄを収容する基板ケース３１の左下側位置には、ランプ制御基板３１Ｃを内部に収容する基板ケース３１が配置されている。図２に示されるように、これら基板ケース３１は、１０ｃｍ角以上の外形寸法を有する比較的大きな部品であるとともに、いずれも腰板ユニット１１Ｂの上方に配置されている。
【００２８】
図２，図３，図６等に示されるように、外枠１１の下部を構成する本実施形態の腰板ユニット１１Ｂは、球受け皿設置部よりも下方の位置にあり、ユニット上壁４１、ユニット下壁４２、一対のユニット側壁４３，４４及びユニット前壁４５からなる。スピーカ設置部であるユニット前壁４５は、遊技者側とパチンコ機１０側とを仕切る（即ちパチンコ機１０の内外を仕切る）平壁状の部分である。ユニット前壁４５の前面側に対しては、腰板ユニット１１Ｂを全体的に覆う第２カバー部材としての腰板カバー８１（図４，図５等参照）が着脱可能に固定されるようになっている。腰板カバー８１の詳細については後述する。
【００２９】
図６に示されるように、ユニット下壁４２における２箇所には、図示しない遊技島に対して外枠１１を取り付ける際に釘を打ち付けるためのスリット４６が形成されている。また、ユニット下壁４２の上面及びユニット前壁４５の背面には、腰板ユニット１１Ｂを補強するための略Ｌ字状の補強リブ４７が一体形成されている。機裏側から見て向かって左側に位置するユニット側壁４３の内面、及び、機裏側から見て向かって右側に位置するユニット側壁４４の内面には、それぞれ腰板ユニット１１Ｂを補強するための略コ字状の補強金具４８が取り付けられている。
【００３０】
図１，図４，図５に示されるように、腰板ユニット１１Ｂの前面側には、ユニット前壁４５の前面全域を覆う合成樹脂製の腰板カバー８１が着脱可能に取り付けられている。つまり、腰板カバー８１の前板８２の面積は、ユニット前壁４５の面積とほぼ同じ大きさを有している。これにより、腰板ユニット１１Ｂが腰板カバー８１に覆われて保護される。この腰板カバー８１は、横長矩形状に形成された前板８２と、前板８２の左右に位置する一対の側板（右側板８３及び左側板８４）と、前板８２の上部に位置する上板８５とからなる。前板８２と右側板８３との連結部分や、前板８２と左側板８４との連結部分には、Ｒ（アール）が設けられている。なお、前板８２と左側板８４との連結部分の上側領域には、カバー前方に向けて膨出する膨出部９１が形成されている。かかる膨出部９１は、腰板ユニット１１Ｂの前面側にある凸部Ｔ１（図３参照）に対応して形成されている。
【００３１】
図４，図５等に示されるように、上板８５の上面における離間した２箇所には、１ｍｍ〜２ｍｍほど盛り上がった隆起部９０が形成されている。これら隆起部９０の上面には、下球皿１６を装着したときにその下端部が載置されるようになっている。このとき、腰板カバー８１の上端縁（上板８５）が下球皿１６の下端部により上方向から押さえ付けられるため、腰板カバー８１の上方向への移動が規制される。また、隆起部９０の前端部分には、下球皿１６を案内して載置しやすくするための傾斜面９０ａが形成されている。かかる傾斜面９０ａは、カバー前方から後方に行く従って高くなるような傾斜を有している。
【００３２】
前記前板８２の裏面には、複数の係止部である係止片９３，９４が突設されている。係止片９３は前板８２の背面における左右両端部に２つずつ配置され、それらよりも若干幅広の係止片９４は前板８２の背面における略中央部にて２つ段違いに配置されている。即ち、腰板カバー８１を裏面側から見たときに向かって左側の係止片９４のほうがやや低い位置にあり、向かって右側の係止片９４のほうがやや高い位置にある。そして、これら係止片９３，９４の突出量は、カバー補強リブ９２の突出量よりも大きく設定されている。
【００３３】
図３に示されるように、前記腰板ユニット１１Ｂの前記ユニット前壁４５において係止片９３に対応する箇所には係止片９３が係脱可能な被係止部１０３が形成され、係止片９４に対応する箇所には係止片９４が係脱可能な被係止部１０４が形成されている。これらの被係止部１０３，１０４は具体的にはユニット前壁４５に貫通形成された穴であって、各穴の下縁には実質的な被係止部分である突片が設けられている。従って、被係止部１０３に対しては、腰板カバー８１を上から下に向かう方向に移動させて係止片９３を係合させる一方、腰板カバー８１を下から上に向かう方向に移動させて係止片９３の係止を解除するようになっている。なお、係止片９４が係止する２つの被係止部１０４は段違いに配置されている。即ち、腰板ユニット１１Ｂを表面側から見たときに向かって左側の被係止部１０４のほうがやや高い位置にあり、向かって右側の被係止部１０４のほうがやや低い位置にある。
【００３４】
図２，図６に示されるように、ユニット前壁４５の背面側中央部には、空きスペースが生じている。その空きスペースには、合成樹脂製の規制部材１１１（係合手段）が配置されている。この規制部材１１１は、規制位置と規制解除位置との間を移動できるように構成されている。
【００３５】
本実施形態における規制部材１１１は、図７に示されるように、横長棒状の規制部材本体１１２の一端に、指先で操作可能なレバー１１３を突設した構造を有している。規制部材本体１１２における３箇所には、爪部１１４が間隔を隔てて形成されている。これらの爪部１１４の先端は、常には規制部材本体１１２の表面から僅かに突出している。
【００３６】
一方、図２に示されるように、ユニット前壁４５の背面側略中央部には、挿通部１２１が左右一対で設けられている。挿通部１２１は前記２つの被係止部１０４，１０４（図３参照）の中間に位置している。そして、これら挿通部１２１に対しては、規制部材１１１の規制部材本体１１２が横方向にスライド可能な状態で挿通されている。
【００３７】
図２に示されるように、規制部材１１１が規制位置にあるときには、規制部材１１１の下面側は、前記２つの係止片９４の上面に接触した状態となる。また、爪部１１４のうちの１つが挿通部１２１の側面に係止することにより、規制部材１１１がその位置にて保持固定される。従って、このとき、係止状態にある係止片９４の上方向への動きが、規制部材１１１によって規制されるようになっている。ゆえに、腰板カバー８１を上方向にずらして係止片９３，９４の係止を解除することができず、腰板カバー８１の取り外しが不能となる。
【００３８】
規制部材１１１が規制位置から規制解除位置に移動したときには、規制部材１１１の下面側は２つの係止片９４に接触しない状態となる。また、爪部１１４のうちの１つまたは２つが挿通部１２１の側面に係止しうる状態となることにより、規制部材１１１がほぼその位置にて保持固定される。従って、このとき、係止状態にある係止片９４の上方向への動きが、規制部材１１１によって何ら規制されない。ゆえに、腰板カバー８１を上方向にずらして係止片９３，９４の係止を解除することができるようになり、腰板カバー８１の取り外しが可能となる。
【００３９】
図３，図８に示されるように、前記腰板ユニット１１Ｂのユニット前壁４５には、ユニット前壁４５の前面及び背面を連通させる長円形状の開口部５２が左右一対で形成されている。図２，図６，図８に示されるように、ユニット前壁４５の背面側において一対の開口部５２に対応する位置には、遊技の状態に応じて各種音声（効果音など）を出力するスピーカ５１がそれぞれ配設されている。前記スピーカ５１は横長円形状をなしており（図２等参照）、かさ状をした金属製のフレーム６１を備えている。スピーカ５１の前側には、フレーム６１によって保護される振動板（音声発生部）としてのコーン紙５５が設けられている。そして、フレーム６１の背面中央部には、弾性を有する保護カバー７１が嵌着されている。本実施形態の保護カバー７１は、弾性体の一種であるゴム（例えばＮＢＲなど）を材料として略カップ状に形成されている。保護カバー７１の上面中央部には、円形状の窓部７２が貫通形成されている。これらのスピーカ５１は、コーン紙５５を開口部５２に臨ませるようにして設置されるとともに、四隅がユニット前壁４５に対して背面側からねじ止め固定されている。よって、これらスピーカ５１の前側と後側とは、ユニット前壁４５によって遮断された状態となっている（図８参照）。また、図８に示されるように、スピーカ５１の後側空間５６には、音遮蔽体または音反射体となりうる他部材（例えば基板ケース３１等）が全く配置されていない。このため、スピーカ５１の後側空間５６は完全に開放した状態となっている。
【００４０】
図３，図８に示されるように、一対の開口部５２におけるユニット前壁４５の背面側には、それぞれカバー係合部５２ａが形成されている。各々の開口部５２に対しては、第１カバー部材としての振動体カバー５３が、ユニット前壁４５の背面側から嵌着して固定されている。振動体カバー５３は、光透過性樹脂からなる樹脂成形品であり、開口部５２と同様の長円形状をなしている。振動体カバー５３の外周部には、フランジ部５３ａが形成されている。
【００４１】
図８に示されるように、振動体カバー５３は、フランジ部５３ａ及び壁部５３ｂを備えている。フランジ部５３ａの幅は、カバー係合部５２ａの底面の幅と等しくなっている。壁部５３ｂは、カバー係合部５２ａの底面からユニット前壁４５の前面までの長さと等しくなっており、外側面が開口部５２に当接可能になっている。即ち、フランジ部５３ａはカバー係合部５２ａに係合可能な形状をなしている。従って、フランジ部５３ａがカバー係合部５２ａに係合することにより、開口部５２に対して振動体カバー５３が固定される。このとき、振動体カバー５３の外周部の前面は、ユニット前壁４５の前面と面一となる。
【００４２】
また、振動体カバー５３は、略中央部（透孔形成領域５７）がスピーカ５１側に凹んだ断面略く字状をなしている。これにより、透孔形成領域５７と前記腰板カバー８１の前記前板８２との距離が大きくなる。透孔形成領域５７には、振動体カバー５３の表裏を連通させる複数の振動体カバー側透孔部５４（第１スピーカ用透孔部）が、それぞれ水平方向に沿って延びるように設けられている。つまり、振動体カバー側透孔部５４の前端開口の高さ位置と、後端開口の高さ位置とが等しくなっている。各振動体カバー側透孔部５４のうち、中央の振動体カバー側透孔部５４は開口部５２及び振動体カバー５３と同様の長円形状をなし、それ以外の振動体カバー側透孔部５４は開口部５２の開口端縁と平行に延びる長孔となる。各振動体カバー側透孔部５４は、それぞれ同一の幅を有しており、互いに等間隔に配置されている。
【００４３】
図４，図５に示されるように、腰板カバー８１の前板８２の背面には、縦方向または横方向に延びる複数のカバー補強リブ９２（突条）が形成されている。腰板カバー８１の下端部分において横方向に延びるカバー補強リブ９２は、腰板カバー８１の下端部全体に亘って延びているだけでなく、右側板８３及び左側板８４の下端部全体にも延びている。そして、これらのカバー補強リブ９２があることによって腰板カバー８１が全体的に補強される結果、腰板カバー８１に変形が起こりにくくなっている。各カバー補強リブ９２は、ユニット前壁４５の前面、右側面及び左側面に対して当接可能になっている。このため、腰板カバー８１を安定的に固定することができる。このとき、腰板カバー８１は、振動体カバー５３に対して、ユニット前壁４５に当接するカバー補強リブ９２の高さ分だけ隔てて配置される。
【００４４】
図４等に示されるように、前板８２の前面側における中央部上寄り位置には、扁平な二等辺三角形状を逆向きにした形状の逆三角形状装飾部８８（バスレフ形成可能部）が形成されている。この逆三角形状装飾部８８には、円形状をなす非貫通孔としてのダミー孔８９が多数形成されている。これらのダミー孔８９は、必要に応じて穴明け加工をすることにより、貫通孔とすることができるようになっている。また、前板８２の前面側における左右両側部には、略楕円形状装飾部８６が互いに離間して形成されている。それら略楕円形状装飾部８６がある箇所には、前板８２の表裏を連通させる多数の腰板カバー側透孔部８７（第２スピーカ用透孔部）がそれぞれ水平方向に沿って延びるように設けられている。つまり、腰板カバー側透孔部８７の前端開口の高さ位置と、後端開口の高さ位置とが等しくなっている。
【００４５】
各腰板カバー側透孔部８７は、前板８２において前記振動体カバー５３に対応する位置に設けられている。腰板カバー側透孔部８７は、振動体カバー５３の前記振動体カバー側透孔部５４の形状とは異なる円形状をなしている。腰板カバー側透孔部８７の内径は、振動体カバー側透孔部５４の幅よりもやや小さくなっている。従って、針金などの不正な異物を腰板カバー側透孔部８７を介して腰板カバー８１内に差し込んだとしても、異物の先端が振動体カバー側透孔部５４を介して振動体カバー５３の内部まで到達しにくくなる。
【００４６】
次に、腰板カバー８１の交換方法について述べる。
【００４７】
まず、中枠１２を開状態にして外枠１１の背面側を操作可能な状態にし、レバー１１３を横方向にスライド操作して、規制部材１１１を規制位置から規制解除位置に移動させる。すると、規制部材１１１の下面が、２つの係止片９４の上面に接触しなくなり、各被係止部１０３，１０４から各係止片９３，９４が外れるのが妨げられなくなる。
【００４８】
次に、腰板カバー８１を下から上に向けて移動させることにより、各係止片９３と各被係止部１０３との係合を解除させるとともに、各係止片９４と各被係止部１０４との係合を解除させる。このとき、腰板カバー８１の上板８５と、腰板ユニット１１Ｂのユニット上壁４１との係合も解除される。その結果、腰板カバー８１を取り外すことができる。
【００４９】
そして、取り外した腰板カバー８１とは別の腰板カバーを配置する。このとき、腰板カバーは、基本的に上記の取り外し手順とは逆のことを行うことにより容易に装着することができる。ただし、中枠１２等が閉じていて、外枠１１の背面側が操作不能な状態のときには、装着作業を行うことができないようになっている。
【００５０】
従って、本実施形態によれば以下のような効果を得ることができる。
【００５１】
（１）腰板カバー８１によって腰板ユニット１１Ｂの前側が覆われて保護される。しかも、腰板ユニット１１Ｂの前面全域が覆われるので、腰板ユニット１１Ｂの前面が全体的に保護される。その結果、腰板ユニット１１Ｂの前側が悪戯されにくくなり、汚れや破損を防止することができる。また、スピーカ５１については振動体カバー５３及び腰板カバー８１によって二重に覆われて保護されるので、悪戯によるスピーカ５１の汚れや破損を確実に防止することができる。
【００５２】
さらに、腰板カバー８１は腰板ユニット１１Ｂの前側に対して着脱可能である。よって、必要に応じて腰板カバー８１を意匠変更したり、汚れた腰板カバー８１を新しいものに交換したりすることなどを簡単に行うことができる。
【００５３】
また、腰板カバー８１を着脱可能とする規制部材１１１が腰板ユニット１１Ｂの背面側に配設されている。このことから、中枠１２を開けることができない者については、規制部材１１１を操作することが不能なため、各係止片９３，９４と各被係止部１０３，１０４との係止状態を解除することができない。よって、腰板ユニット１１Ｂの前面側から不正に腰板ユニット１１Ｂが着脱される心配もない。
【００５４】
（２）振動体カバー５３は、略中央部（透孔形成領域５７）がスピーカ５１側に凹んだ形状をなしている。そのため、振動体カバー５３の透孔形成領域５７と、腰板カバー８１との距離が大きくなる。よって、針金などの不正な異物が腰板カバー側透孔部８７を介して腰板カバー８１内に差し込まれたとしても、異物の先端が振動体カバー５３まで到達しにくくなる。その結果、振動体カバー５３及びスピーカ５１の汚れや破損を防止することができる。
【００５５】
また、このような形状であると、振動体カバー５３において振動体カバー側透孔部５４を形成可能な面積が増えるので、例えば大きめの振動体カバー側透孔部５４をそれほど困難なく形成することができる。その結果、スピーカ５１が発生した音を確実に振動体カバー５３の前面側に到らせることができる。よって、音がこもりにくくなる結果、音質の低下を防止することができ、スピーカ５１がその性能を十分に発揮しやすい状態になる。
【００５６】
（３）針金などの不正な異物が腰板カバー側透孔部８７を介して腰板カバー８１内に差し込まれたとしても、腰板カバー側透孔部８７と形状が異なる円形状の振動体カバー側透孔部５４を設定しておけば、異物の先端が振動体カバー側透孔部５４を介して振動体カバー５３の内部まで到達しにくくなる。その結果、スピーカ５１の汚れや破損を確実に防止することができる。
【００５７】
（４）カバー補強リブ９２によって腰板カバー８１が全体的に補強される結果、腰板カバー８１に変形が起こりにくくなる。また、カバー補強リブ９２がユニット前壁４５の前面、右側面及び左側面に対して当接することにより、腰板カバー８１を安定的に固定することができる。従って、スピーカ５１に大きな音を発生させた場合であっても、振動によって腰板カバー８１がガタついて騒音を生じるといった心配もない。
【００５８】
なお、本発明の実施形態は以下のように変更してもよい。
【００５９】
・上記実施形態では、振動体カバー５３は、略中央部がスピーカ５１側に凹んだ形状であったが、振動体カバー５３は平板状に形成されていてもよい。
【００６０】
・上記実施形態では、腰板ユニット１１Ｂにおける振動体カバー側透孔部５４のほうが、腰板カバー８１における腰板カバー側透孔部８７よりも大きめに形成されていたが、この大小関係を変えてもよい。また、振動体カバー側透孔部５４の形状及び腰板カバー側透孔部８７の形状を同一にしてもよい。
【００６１】
・上記実施形態では、図８に示されるように腰板カバー８１における腰板カバー側透孔部８７が、水平方向に沿って延びるように形成されていた。つまり、腰板カバー側透孔部８７の前端開口の高さ位置と、後端開口の高さ位置とが等しかった。しかし、これに限定されることはなく、例えば図９に示されるように、腰板カバー側透孔部８７の前端開口の高さ位置を、後端開口の高さ位置よりも高くしてもよい。このように、腰板カバー側透孔部８７を、腰板カバー８１の裏面側から前面側に向かって斜め上向きにした場合には、腰板カバー側透孔部８７の前端開口が遊技者の方向に向くため、スピーカ５１の発する音声が遊技者の耳に届きやすくなるというメリットがある。これとは逆に、図１０に示されるように、腰板カバー側透孔部８７の前端開口の高さ位置を、後端開口の高さ位置よりも低くしてもよい。このように、腰板カバー側透孔部８７を、腰板カバー８１の裏面側から前面側に向かって斜め下向きにした場合には、針金などの不正な異物の差し込みが困難になることから、遊技者による悪戯をいっそう確実に防止できるというメリットがある。
【００６２】
・上記実施形態では、振動板としてコーン紙５５を備えるスピーカ５１（即ちコーン形スピーカ）を用いていたが、これに代えて紙以外の材料（例えば高分子、金属、布、セラミックなど）からなるコーンを備えたスピーカを用いてもよい。また、コーンの数や形状も任意に変更することが可能である。さらに、コーン形スピーカに代えて、例えば、ホーン形スピーカ、ドーム形スピーカ、平面形・平板形スピーカ、静電形スピーカ、圧電形スピーカなどを使用することも許容される。
【００６３】
次に、特許請求の範囲に記載された技術的思想のほかに、前述した実施形態によって把握される技術的思想を以下に列挙する。
【００６４】
（１）前記第１カバー部材と前記第２カバー部材とは所定間隔を隔てて配置されていることを特徴とする請求項１乃至６のいずれか１項に記載の遊技機。
【００６５】
（２）前記第２カバー部材の略中央部には、複数の非貫通孔を有するバスレフ形成可能部が設けられていることを特徴とする請求項１乃至６、技術的思想（１）のいずれか１項に記載の遊技機。
【００６６】
（３）前記外枠の下部の背面側をスピーカ設置部とし、そのスピーカ設置部に開口部を形成し、その開口部に前記音声発生部を臨ませるようにして前記スピーカを設置することにより、前記スピーカの前側と後側とを遮断し、さらに、前記スピーカの後側空間に音遮蔽体または音反射体となりうる他部材を配置しないことにより、前記スピーカの後側空間を開放したことを特徴とする請求項１乃至６、技術的思想（１），（２）のいずれか１項に記載の遊技機。
【００６７】
（４）ユニット上壁、ユニット下壁、一対のユニット側壁及びユニット前壁とからなり遊技機外枠の下部を構成する腰板の内部に、前側に音声発生部を有する遊技機用スピーカを取り付けたものにおいて、前記腰板に形成された開口部に設けられ、複数の第１スピーカ用透孔部を有する第１カバー部材と、前記腰板の前面全域を覆うべく、前記腰板の前面側に対して前記腰板の背面側に配設された係合手段により着脱可能に取り付けられ、前記第１カバー部材に対応する位置に複数の第２スピーカ用透孔部を有する第２カバー部材とを備える遊技機用スピーカ付き腰板ユニット。
【図面の簡単な説明】
【００６８】
【図１】本発明を具体化したパチンコ機を示す正面図。
【図２】前記パチンコ機を示す背面図。
【図３】前記パチンコ機の外枠を前面側から見たときの斜視図。
【図４】（ａ）は前記パチンコ機の腰板カバーを示す平面図、（ｂ）は同じく正面図、（ｃ）は同じく底面図、（ｄ）は同じく背面図、（ｅ）は同じく左側面図。
【図５】腰板カバーを背面側から見たときの斜視図。
【図６】外枠の下部を背面側から見たときの部分斜視図。
【図７】（ａ）は規制部材を示す斜視図、（ｂ）は規制部材を示す正面図、（ｃ）は（ｂ）のＡ−Ａ線における断面図。
【図８】外枠の下部を示す部分断面図。
【図９】他の実施形態における外枠の下部を示す部分断面図。
【図１０】他の実施形態における外枠の下部を示す部分断面図。
【符号の説明】
【００６９】
１０…遊技機としてのパチンコ機
１１…外枠
１１Ｂ…腰板としての腰板ユニット
５１…スピーカ
５２…開口部
５３…第１カバー部材としての振動体カバー
５４…第１スピーカ用透孔部としての振動体カバー側透孔部
５５…音声発生部としてのコーン紙
８１…第２カバー部材としての腰板カバー
８７…第２スピーカ用透孔部としての腰板カバー側透孔部
９２…突条としてのカバー補強リブ
１１１…係合手段としての規制部材
【図１】
2005074121.tif 000003
【図２】
2005074121.tif 000004
【図３】
2005074121.tif 000005
【図４】
2005074121.tif 000006
【図５】
2005074121.tif 000007
【図６】
2005074121.tif 000008
【図７】
2005074121.tif 000009
【図８】
2005074121.tif 000010
【図９】
2005074121.tif 000011
【図１０】
2005074121.tif 000012